(57)【要約】【課題】バスケットプレートの有効部の変形を防止しつつ、バスケットプレートから円筒部材への伝熱性を高めることができる使用済燃料用キャスクのバスケット構造体を提供する。【解決手段】使用済燃料用キャスクのバスケット構造体においては、複数のバスケットプレート１が格子状に組立てられるとともに積層されている。バスケットプレート１の両側端部２が、円筒部材１０の内周面に形成された複数の溝部１１にそれぞれ挿入されている。そして、バスケットプレート１の両側端部２がそれぞれ溝部１１の底面１２に接触しつつバスケットプレート１が熱膨張した際に生じる反力を吸収するように、バスケットプレート１の端部２がバネ形状に形成されている。【選択図】図２
2014240755.tif 000002
【特許請求の範囲】
【請求項１】
複数の使用済燃料を貯蔵若しくは輸送するための使用済燃料用キャスクに設けられ、前記複数の使用済燃料をそれぞれ収納する複数の区画を形成するバスケット構造体において、
一の方向に向けて互いに平行に揃えられた複数のバスケットプレートからなる第一のバスケットプレート群と、前記一の方向と直角な方向に向けて互いに平行に揃えられた複数のバスケットプレートからなる第二のバスケットプレート群とを、互いに交差する部分に形成されたスリット同士を係合して格子状に組立てるとともに交互に積層し、かつ前記第一のバスケットプレート群及び前記第二のバスケットプレート群のうちの少なくとも一方が複数段となるように構成し、
前記バスケットプレートの一方側端部及び他方側端部を、円筒部材の内周面に形成されて軸方向に延在する複数の溝部にそれぞれ挿入しており、
前記バスケットプレートの一方側端部及び他方側端部のうちの少なくとも一方は、前記バスケットプレートの一方側端部及び他方側端部が前記複数の溝部の底面にそれぞれ接触しつつ前記バスケットプレートが熱膨張した際に生じる反力を吸収するように、バネ形状に形成されたことを特徴とする使用済燃料用キャスクのバスケット構造体。
【請求項２】
請求項１記載の使用済燃料用キャスクのバスケット構造体において、
同じ方向に向けられるとともに積層方向に隣り合う一方のバスケットプレートと他方のバスケットプレートは、それらの熱膨張を吸収しつつ前記一方のバスケットプレートの端部が前記溝部の一方側面に接触して前記他方のバスケットプレートの端部が前記溝部の他方側面に接触するように、それらの端部にそれぞれ形成された傾斜面が互いに接触して摺動するように構成されたことを特徴とする使用済燃料用キャスクのバスケット構造体。
【請求項３】
請求項１記載の使用済燃料用キャスクのバスケット構造体において、
前記バスケットプレートの一方側端部及び他方側端部のうちの少なくとも一方は、円弧型のバネ形状に形成されたことを特徴とする使用済燃料用キャスクのバスケット構造体。
【請求項４】
請求項１記載の使用済燃料用キャスクのバスケット構造体において、
前記バスケットプレートの一方側端部及び他方側端部のうちの少なくとも一方は、ジグザグ型のバネ形状に形成されたことを特徴とする使用済燃料用キャスクのバスケット構造体。
【請求項５】
複数の使用済燃料を貯蔵若しくは輸送するための使用済燃料用キャスクに設けられ、前記複数の使用済燃料をそれぞれ収納する複数の区画を形成するバスケット構造体において、
一の方向に向けて互いに平行に揃えられた複数のバスケットプレートからなる第一のバスケットプレート群と、前記一の方向と直角な方向に向けて互いに平行に揃えられた複数のバスケットプレートからなる第二のバスケットプレート群とを、互いに交差する部分に形成されたスリット同士を係合して格子状に組立てるとともに交互に積層し、かつ前記第一のバスケットプレート群及び前記第二のバスケットプレート群のうちの少なくとも一方が複数段となるように構成し、
前記バスケットプレートの一方側端部及び他方側端部を、円筒部材の内周面に形成されて軸方向に延在する複数の溝部にそれぞれ挿入しており、
同じ方向に向けられるとともに積層方向に隣り合う一方のバスケットプレートと他方のバスケットプレートは、それらの熱膨張を吸収しつつ前記一方のバスケットプレートの端部が前記溝部の一方側面に接触して前記他方のバスケットプレートの端部が前記溝部の他方側面に接触するように、それらの端部にそれぞれ形成された傾斜面が互いに接触して摺動するように構成されたことを特徴とする使用済燃料用キャスクのバスケット構造体。
【発明の詳細な説明】
【技術分野】
【０００１】
本発明は、複数の使用済燃料を貯蔵若しくは輸送するための使用済燃料用キャスクに設けられ、複数の使用済燃料をそれぞれ収納する複数の区画を形成するバスケット構造体に関する。
【背景技術】
【０００２】
一般に、使用済燃料は、原子力発電所内に設けられた冷却プールまたは使用済燃料貯蔵用キャスクに収納され、放射線強度が一定レベルに低下するまで保管される。その後、使用済燃料輸送用キャスクに収納されて再処理施設まで輸送され、再処理施設で再処理される。あるいは、使用済燃料中間貯蔵用キャスクに収納されて中間貯蔵施設まで輸送され、一定期間保管される。
【０００３】
上述したキャスクに設けられ、複数の使用済燃料（言い換えれば、複数の使用済の燃料集合体）をそれぞれ収納する複数の区画を形成するバスケット構造体が知られている（例えば特許文献１参照）。特許文献１に記載のバスケット構造体は、複数のバスケットプレートを、互いに交差する部分に形成されたスリット同士を係合して格子状に組立てるとともに、交互に積層している。また、バスケットプレートの両側端部を、円筒部材の内周面に形成された複数の溝部にそれぞれ挿入している。すなわち、バスケットプレート同士を固定する部材や、バスケットプレートと円筒部材を固定する部材などを使用していない。そして、バスケットプレートの組立性や、使用済燃料の発熱に伴うバスケットプレートの熱膨張（熱変形）を考慮して、バスケットプレートのスリット及び円筒部材の溝部が大きめに形成されている。
【先行技術文献】
【特許文献】
【０００４】
【特許文献１】特開２００１−２３５５８９号公報
【発明の概要】
【発明が解決しようとする課題】
【０００５】
上記従来技術を、図１７及び図１８を用いて説明する。図１７は、従来技術におけるバスケットプレートの構造を表す図である。図１８は、従来技術におけるバスケットプレートの一方側端部及び円筒部材の溝部を表す円筒部材の径方向断面の部分拡大図である。
【０００６】
従来技術におけるバスケットプレート１０１の両側端部１０２（詳細には、複数のスリット１０３より両外側に位置する端部）は、バスケットプレート１００の有効部（詳細には、複数のスリット１０３の間の部分であって、使用済燃料と接触する部分）と同様、板状に形成されている。そして、バスケットプレート１０１の熱膨張等を考慮して、バスケットプレート１０１の端部１０２と円筒部材１１０の溝部１１１を接触させないようにしている。すなわち、バスケットプレート１０１の端部１０２と円筒部材１１０の溝部１１１との間（詳細には、バスケットプレート１０１の端部１０２と溝部１１１の底面１１２との間、及びバスケットプレート１０１の端部１０２と溝部１１１の側面１１３との間）に隙間が形成されている。そのため、バスケットプレート１０１から円筒部材１１０への伝熱性（言い換えれば、放熱性）の点で改善の余地がある。特に、近年、経済性の観点から高燃焼度燃料が使用されており、その使用済燃料の発熱量が比較的高くなっている。そのため、キャスクの放熱性を高めることが望まれている。
【０００７】
かといって、バスケットプレート１０１の熱膨張の大きさを想定して、バスケットプレート１０１の両側端部１０２がそれぞれ溝部１１１の底面１１２に接触するように位置決めすると、バスケットプレート１０１の熱膨張が何らかの理由で予想以上に大きくなる場合に反力が生じる可能性がある。あるいは、バスケットプレート１０１の熱膨張の大きさを想定して、バスケットプレート１０１の端部１０２が溝部１１１の側面１１３に接触するように位置決めすると、バスケットプレート１０１の熱膨張が何らかの理由で予想以上に大きくなる場合に反力が生じる可能性がある。そして、バスケットプレート１０１の有効部に前述した反力が作用して、バスケットプレート１０１の有効部が変形し、燃料に干渉する虞がある。
【０００８】
本発明の目的は、バスケットプレートの有効部の変形を防止しつつ、バスケットプレートから円筒部材への伝熱性を高めることができる使用済燃料用キャスクのバスケット構造体を提供することにある。
【課題を解決するための手段】
【０００９】
上記目的を達成するために、第１の発明は、複数の使用済燃料を貯蔵若しくは輸送するための使用済燃料用キャスクに設けられ、前記複数の使用済燃料をそれぞれ収納する複数の区画を形成するバスケット構造体において、一の方向に向けて互いに平行に揃えられた複数のバスケットプレートからなる第一のバスケットプレート群と、前記一の方向と直角な方向に向けて互いに平行に揃えられた複数のバスケットプレートからなる第二のバスケットプレート群とを、互いに交差する部分に形成されたスリット同士を係合して格子状に組立てるとともに交互に積層し、かつ前記第一のバスケットプレート群及び前記第二のバスケットプレート群のうちの少なくとも一方が複数段となるように構成し、前記バスケットプレートの一方側端部及び他方側端部を、円筒部材の内周面に形成されて軸方向に延在する複数の溝部にそれぞれ挿入しており、前記バスケットプレートの一方側端部及び他方側端部のうちの少なくとも一方は、前記バスケットプレートの一方側端部及び他方側端部が前記複数の溝部の底面にそれぞれ接触しつつ前記バスケットプレートが熱膨張した際に生じる反力を吸収するように、バネ形状に形成される。
【００１０】
このようにバスケットプレートの一方側端部及び他方側端部のうちの少なくとも一方をバネ形状に形成することにより、バスケットプレートの一方側端部及び他方側端部が複数の溝部の底面にそれぞれ接触しつつバスケットプレートが熱膨張した際に生じる反力を吸収することができる。これにより、バスケットプレートの有効部に反力がほとんど作用せず、バスケットプレートの有効部の変形を防止することができる。また、バスケットプレートの端部が溝部の底面に接触しない場合と比べ、バスケットプレートから円筒部材への伝熱性を高めることができる。
【００１１】
上記目的を達成するために、第２の発明は、複数の使用済燃料を貯蔵若しくは輸送するための使用済燃料用キャスクに設けられ、前記複数の使用済燃料をそれぞれ収納する複数の区画を形成するバスケット構造体において、一の方向に向けて互いに平行に揃えられた複数のバスケットプレートからなる第一のバスケットプレート群と、前記一の方向と直角な方向に向けて互いに平行に揃えられた複数のバスケットプレートからなる第二のバスケットプレート群とを、互いに交差する部分に形成されたスリット同士を係合して格子状に組立てるとともに交互に積層し、かつ前記第一のバスケットプレート群及び前記第二のバスケットプレート群のうちの少なくとも一方が複数段となるように構成し、前記バスケットプレートの一方側端部及び他方側端部を、円筒部材の内周面に形成されて軸方向に延在する複数の溝部にそれぞれ挿入しており、同じ方向に向けられるとともに積層方向に隣り合う一方のバスケットプレートと他方のバスケットプレートは、それらの熱膨張を吸収しつつ前記一方のバスケットプレートの端部が前記溝部の一方側面に接触して前記他方のバスケットプレートの端部が前記溝部の他方側面に接触するように、それらの端部にそれぞれ形成された傾斜面が互いに接触して摺動するように構成される。
【００１２】
このように一方のバスケットプレートの端部及び他方のバスケットプレートの端部にそれぞれ形成された傾斜面が互いに接触して摺動するように構成することにより、バスケットプレートの熱膨張の大きさが変動しても、これを吸収しつつ、一方のバスケットプレートの端部が溝部の一方側面に接触し、かつ他方のバスケットプレートの端部が前記溝部の他方側面に接触することができる。これにより、バスケットプレートの熱膨張によって反力が生じず、バスケットプレートの有効部の変形を防止することができる。また、バスケットプレートの端部が溝部の側面に接触しない場合と比べ、バスケットプレートから円筒部材への伝熱性を高めることができる。
【発明の効果】
【００１３】
本発明によれば、バスケットプレートの有効部の変形を防止しつつ、バスケットプレートから円筒部材への伝熱性を高めることができる。
【図面の簡単な説明】
【００１４】
【図１】本発明の第１の実施形態における使用済燃料用キャスクのバスケット構造体の構成を表す径方向断面図である。
【図２】本発明の第１の実施形態におけるバスケットプレートの構造を表す図である。
【図３】本発明の第１の実施形態におけるバスケットプレートの一方側端部及び円筒部材の溝部を表す円筒部材の径方向断面の部分拡大図である。
【図４】本発明の第１の変形例におけるバスケットプレートの構造を表す図である。
【図５】本発明の第２の変形例におけるバスケットプレートの構造を表す図である。
【図６】本発明の第３の変形例におけるバスケットプレートの構造を表す図である。
【図７】本発明の第２の実施形態におけるバスケットプレートの構造を表す図である。
【図８】図７中矢印VIII方向からみたバスケットプレートの側面図である。
【図９】本発明の第２の実施形態における二つのバスケットプレートの一方側端部及び円筒部材の溝部を表す円筒部材の周方向断面の部分拡大図である。
【図１０】本発明の第２の実施形態における一つのバスケットプレートの一方側端部及び円筒部材の溝部を表す円筒部材の径方向断面の部分拡大図である。
【図１１】本発明の第３の実施形態におけるバスケットプレートの構造を表す図である。
【図１２】図１１中矢印XII方向からみたバスケットプレートの側面図である。
【図１３】本発明の第３の実施形態における二つのバスケットプレートの一方側端部及び円筒部材の溝部を表す円筒部材の周方向断面の部分拡大図である。
【図１４】本発明の第３の実施形態における一つのバスケットプレートの一方側端部及び円筒部材の溝部を表す円筒部材の径方向断面の部分拡大図である。
【図１５】本発明の第４の変形例におけるバスケットプレートの構造を表す図である。
【図１６】図１４中矢印XVI方向からみたバスケットプレートの側面図である。
【図１７】従来技術におけるバスケットプレートの構造を表す図である。
【図１８】従来技術におけるバスケットプレートの一方側端部及び円筒部材の溝部を表す円筒部材の径方向断面の部分拡大図である。
【発明を実施するための形態】
【００１５】
本発明の第１の実施形態を、図面を参照しつつ説明する。
【００１６】
図１は、本実施形態における使用済燃料用キャスクのバスケット構造体の構成を表す径方向断面図である。
【００１７】
図１で示すバスケット構造体は、複数の使用済燃料を貯蔵若しくは輸送するための使用済燃料用キャスク（図示せず）に設けられるものであり、複数の使用済燃料（図示しないが、本実施形態では６０本の燃料集合体）をそれぞれ収納する複数の区画６を形成するものである。このバスケット構造体においては、一の方向（図１中左右方向）に向けて互いに平行に揃えられた複数（本実施形態では９枚）のバスケットプレート１Ａからなる第一のバスケットプレート群と、一の方向と直角な方向（図１中上下方向）に向けて互いに平行に揃えられた複数（本実施形態では９枚）のバスケットプレート１Ｂからなる第二のバスケットプレート群とを、互いに交差する部分に形成されたスリット３（後述の図２（ａ）及び図２（ｂ）参照）同士を係合して格子状に組立てるとともに、円筒部材１０の軸方向（図１中紙面に対して垂直方向）に交互に積層している。また、図示しないが、前述した第一のバスケットプレート群及び第二のバスケットプレート群のうちの少なくとも一方が複数段となるように構成している。
【００１８】
円筒部材１０の内周面には、軸方向に延在する複数の溝部１１（後述の図３参照）が形成されている。バスケットプレート１Ａ，１Ｂの両側端部２は、複数の溝部１１にそれぞれ挿入されている。バスケットプレート１Ａ，１Ｂは、中性子吸収材を含む金属（詳細には、例えばボロンを含むアルミニウム等）で作られている。これにより、使用済燃料から放出された中性子を吸収するとともに、使用済燃料で発生した熱を外側（言い換えれば、円筒部材１０側）へ逃がすようになっている。
【００１９】
また、本実施形態では、第一のバスケットプレート群を構成する一部のバスケットプレート１Ａの片側又は両側に伝熱プレート２０Ａが添えられている。また、第二のバスケットプレート群を構成する一部のバスケットプレート１Ｂの片側又は両側に伝熱プレート２０Ｂが添えられている。これら伝熱プレート２０Ａ，２０Ｂは、例えば中性子吸収素材を含まない金属（詳細には、例えばアルミニウム等）で作られており、熱伝導性を高めるためのものである。そして、伝熱プレート２０Ａ，２０Ｂにはバスケットプレート１Ａ，１Ｂと同様のスリット（図示せず）が形成されており、伝熱プレート２０Ａ，２０Ｂがバスケットプレート１Ａ，１Ｂと共に格子状に組立てられている。但し、伝熱プレート２０Ａ，２０Ｂの両側端部は、円筒部材１０の溝部１１に挿入されないようになっている。
【００２０】
なお、以降、バスケットプレート１Ａ，１Ｂを総称して、バスケットプレート１という。
【００２１】
次に、本実施形態におけるバスケットプレート１の構造とともに、その作用効果を説明する。
【００２２】
図２（ａ）及び図２（ｂ）は、本実施形態におけるバスケットプレート１の構造を表す図である。なお、図２（ａ）はバスケットプレート１の端部２が弾性変形していない状態を示し、図２（ｂ）はバスケットプレート１の端部２が弾性変形した状態を示す。図３は、本実施形態におけるバスケットプレート１の一方側端部２及び円筒部材１０の溝部１１を表す円筒部材１０の径方向断面の部分拡大図である。
【００２３】
本実施形態のバスケットプレート１には、一つの区画６に対応したピッチで、複数のスリット３が形成されている。また、バスケットプレート１の両側端部２（詳細には、複数のスリット３より両外側に位置する端部であり、図２（ａ）及び図２（ｂ）では便宜上、一方側端部２のみ示す）は、それぞれ、一つの円弧型（本実施形態では、半円型）のバネ形状に形成されている。言い換えれば、バスケットプレート１の両側端部２には、それぞれ、一つの半円形の変形吸収穴４が形成されている。
【００２４】
そして、使用済燃料の発熱に伴ってバスケットプレート１が熱膨張した場合に、バスケットプレート１の両側端部２がそれぞれ円筒部材１０の溝部１１の底面１２に接触するようになっており（図３参照）、その熱膨張の大きさによっては反力（圧縮力）が生じる。しかし、バネ形状の端部２（言い換えれば、緩衝部）が弾性変形してその反力を吸収することができる。これにより、バスケットプレート１の有効部（詳細には、複数のスリット３の間の部分であって、使用済燃料と接触する部分）には前述した反力がほとんど作用せず、バスケットプレート１の有効部の変形を防止することができる。
【００２５】
また、バスケットプレート１の両側端部２がそれぞれ円筒部材１０の溝部１１の底面１２に接触するので、接触しない場合（図１８参照）と比べ、バスケットプレート１から円筒部材１０への伝熱性（言い換えれば、放熱性）を高めることができる。そのため、バスケット構造体の径方向中心部の温度を低減することができる。また、発熱量が比較的大きい使用済燃料用のキャスクにも適用することができる。
【００２６】
なお、上記第１の実施形態においては、バスケットプレート１の端部２を、一つの円弧型のバネ形状に形成した場合を例にとって説明したが、これに限られず、本発明の技術思想を逸脱しない範囲内で変形が可能である。すなわち、例えば図４で示す端部２Ａのように、複数の円弧型のバネ形状に形成してもよい。言い換えれば、複数の半円形の変形吸収穴４Ａが形成されてもよい。このような変形例では、上記第１の実施形態と比べ、バスケットプレート１の熱膨張によって生じる反力を分散して吸収することができる。また、例えば図５で示す端部２Ｂ又は図６で示す端部２Ｃのように、ジグザグ型のバネ形状に形成してもよい。言い換えれば、複数の三角形の変形吸収穴（切欠き）４Ｂ又は４Ｃが形成されてもよい。このような変形例では、上記第１の実施形態と比べ、溝部１１の底面１２との接触面積を大きくすることができ、円筒部材１０への伝熱性をさらに高めることができる。
【００２７】
本発明の第２の実施形態を、図面を参照しつつ説明する。なお、本実施形態において、上記第１の実施形態と同等の部分は、適宜、説明を省略する。
【００２８】
図７は、本実施形態におけるバスケットプレート１の構造を表す図であり、図８は、図７中矢印VIII方向からみたバスケットプレート１の側面図である。図９は、本実施形態における二つのバスケットプレート１の一方側端部及び円筒部材１０の溝部１１を表す円筒部材１０の周方向断面の部分拡大図である。図１０は、本実施形態における一つのバスケットプレート１の一方側端部及び円筒部材１０の溝部１１を表す円筒部材１０の径方向断面の部分拡大図である。
【００２９】
本実施形態のバスケットプレート１の両側端部２Ｄ（図７では便宜上、一方側端部２Ｄのみ示す）は、それぞれ、幅方向中心から両外側（図７及び図８中上側及び下側）に向かって板厚が徐々に小さくなるように形成されて（言い換えれば、くさびが形成されて）、二つの傾斜面５（言い換えれば、くさびの斜面）が形成されている。
【００３０】
そして、同じ方向に向けられて積層方向（言い換えれば、円筒部材１０の軸方向。図９中上下方向）に隣り合う上側のバスケットプレート１と下側のバスケットプレート１（すなわち、上方のバスケットプレート１Ａと下側のバスケットプレート１Ａ、又は上側のバスケットプレート１Ｂと下側のバスケットプレート１Ｂ）は、それらの一方側端部２Ｄにそれぞれ形成された傾斜面５が互いに接触して摺動するように構成されている（図９参照）。すなわち、上側のバスケットプレート１の自重によって、上側バスケットプレート１の端部２Ｄが円筒部材１０の溝部１１の一方側面１３側（図９中右側）に移動するようになっている。また、下側のバスケットプレート１の端部２Ｄは、上側のバスケットプレート１の端部２Ｄによって押されて、円筒部材１０の溝部１１の他方側面１３側（図９中左側）に移動するようになっている。これにより、バスケットプレート１の熱膨張の大きさが変動しても、これを吸収しつつ、上側のバスケットプレート１の一方側端部２Ｄが溝部１１の一方側面１３に接触し、かつ下側のバスケットプレート１の一方側端部２Ｄが溝部１１の他方側面１３に接触することができる。したがって、バスケットプレート１の熱膨張によって反力が生じず、バスケットプレート１の有効部の変形を防止することができる。
【００３１】
また、上側のバスケットプレート１の他方側端部２Ｄと下側のバスケットプレート１の他方側端部２Ｄにそれぞれ形成された傾斜面５も、互いに接触して摺動するように構成されている。これにより、バスケットプレート１の熱膨張の大きさが変動しても、これを吸収しつつ、上側のバスケットプレート１の他方側端部２Ｄが溝部１１の一方側面１３に接触し、かつ下側のバスケットプレート１の他方側端部２Ｄが溝部１１の他方側面１３に接触することができる。したがって、バスケットプレート１の熱膨張によって反力が生じず、バスケットプレート１の有効部の変形を防止することができる。
【００３２】
また、バスケットプレート１の両側端部２Ｄがそれぞれ溝部１１の側面１３に接触するので、接触しない場合（図１８参照）と比べ、バスケットプレート１から円筒部材１０への伝熱性を高めることができる。そのため、バスケット構造体の径方向中心部の温度を低減することができる。また、発熱量が比較的大きい使用済燃料用のキャスクにも適用することができる。
【００３３】
なお、上記第２の実施形態においては、傾斜面５は、端部２Ｄの幅方向中心から両外側に延在するように形成された場合を例にとって説明したが、これに限られず、例えば幅方向中心以外の部分から両外側に延在するように形成されてもよい（後述する第３の実施形態を参照）。この場合も、上記同様の効果を得ることができる。
【００３４】
本発明の第３の実施形態を、図面を参照しつつ説明する。本実施形態は、上記第１の実施形態と上記第２の実施形態を組合せた実施形態であり、同等の部分は、適宜、説明を省略する。
【００３５】
図１１は、本実施形態におけるバスケットプレート１の構造を表す図であり、図１２は、図１１中矢印XII方向からみたバスケットプレート１の側面図である。図１３は、本実施形態における二つのバスケットプレート１の端部及び円筒部材１０の溝部１１を表す円筒部材１０の周方向断面の部分拡大図である。図１４は、本実施形態における一つのバスケットプレート１の端部及び円筒部材１０の溝部１１を表す円筒部材１０の径方向断面の部分拡大図である。
【００３６】
本実施形態のバスケットプレート１の両側端部２Ｅ（図１１では便宜上、一方側端部２Ｅのみ示す）は、上記第１の実施形態と同様、それぞれ、一つの円弧型のバネ形状に形成されている。
【００３７】
そして、使用済燃料の発熱に伴ってバスケットプレート１が熱膨張した場合に、バスケットプレート１の両側端部２Ｅがそれぞれ円筒部材１０の溝部１１の底面１２に接触するようになっており（図１４参照）、その熱膨張の大きさによって反力が生じる。しかし、バネ形状の端部２Ｅが弾性変形してその反力を吸収することができる。これにより、バスケットプレート１の有効部には前述した反力がほとんど作用せず、バスケットプレート１の有効部の変形を防止することができる。
【００３８】
また、本実施形態のバスケットプレート１の両側端部２Ｅは、上記第２の実施形態と同様、それぞれ、幅方向中心側から両外側（図１１及び図１２中上側及び下側）に向かって板厚が徐々に小さくなるように形成されて、二つの傾斜面５Ａが形成されている。
【００３９】
そして、同じ方向に向けられて積層方向（言い換えれば、円筒部材１０の軸方向。図１３中上下方向）に隣り合う上側のバスケットプレート１と下側のバスケットプレート１（すなわち、上方のバスケットプレート１Ａと下側のバスケットプレート１Ａ、又は上側のバスケットプレート１Ｂと下側のバスケットプレート１Ｂ）は、それらの一方側端部２Ｅにそれぞれ形成された傾斜面５Ａが互いに接触して摺動するように構成されている（図１３参照）。すなわち、上側のバスケットプレート１の自重によって、上側バスケットプレート１の端部２Ｅが円筒部材１０の溝部１１の一方側面１３側（図１３中右側）に移動するようになっている。また、下側のバスケットプレート１の端部２Ｅは、上側のバスケットプレート１の端部２Ｅによって押されて、円筒部材１０の溝部１１の他方側面１３側（図１３中左側）に移動するようになっている。これにより、バスケットプレート１の熱膨張の大きさが変動しても、これを吸収しつつ、上側のバスケットプレート１の一方側端部２Ｅが溝部１１の一方側面１３に接触し、かつ下側のバスケットプレート１の一方側端部２Ｅが溝部１１の他方側面１３に接触することができる。したがって、バスケットプレート１の熱膨張によって反力が生じず、バスケットプレート１の有効部の変形を防止することができる。
【００４０】
また、図示しないが、上側のバスケットプレート１の他方側端部２Ｅと下側のバスケットプレート１の他方側端部２Ｅにそれぞれ形成された傾斜面５Ａも、互いに接触して摺動するように構成されている。これにより、バスケットプレート１の熱膨張の大きさが変動しても、これを吸収しつつ、上側のバスケットプレート１の他方側端部２Ｅが溝部１１の一方側面１３に接触し、かつ下側のバスケットプレート１の他方側端部２Ｅが溝部１１の他方側面１３に接触することができる。したがって、バスケットプレート１の熱膨張によって反力が生じず、バスケットプレート１の有効部の変形を防止することができる。
【００４１】
そして、バスケットプレート１の両側端部２Ｅがそれぞれ溝部１１の底面１２及び側面１３に接触するので、接触しない場合（図１８参照）と比べ、バスケットプレート１から円筒部材１０への伝熱性を高めることができる。そのため、バスケット構造体の径方向中心部の温度を低減することができる。また、発熱量が比較的大きい使用済燃料用のキャスクにも適用することができる。
【００４２】
なお、上記第１及び第３の実施形態においては、バスケットプレート１の両側端部がバネ形状に形成された場合を例にとって説明したが、これに代えて、一方側端部がバネ形状に形成され、他方側端部が従来技術のように板状に形成されてもよい。この場合も、バネ形状の一方側端部が弾性変形することにより、バスケットプレート１の熱膨張によって生じる反力を吸収することができる。したがって、バスケットプレート１の有効部の変形を防止しつつ、バスケットプレート１から円筒部材１０への伝熱性を高めることができる。
【００４３】
また、上記第２及び第３の実施形態においては、バスケットプレート１の両側端部に傾斜面５又は５Ａが形成された場合を例にとって説明したが、これに代えて、一方側端部のみに傾斜面５又は５Ａが形成されてもよい。この場合も、バスケットプレート１の一方側端部が溝部１１の側面１３に接触するので、バスケットプレート１の両側端部がそれぞれ溝部の側面に接触しない場合（図１８参照）と比べ、バスケットプレート１から円筒部材１０への伝熱性を高めることができる。但し、バスケットプレート１の他方側端部が溝部１１の側面１３に接触しない可能性があるため、上記第２及び第３の実施形態と比べて効果が低減する可能性がある。
【００４４】
また、上記第３の実施形態においては、バスケットプレート１の端部２Ｅは、一つの円弧型のバネ形状に形成するとともに、傾斜面５Ａが形成された場合を例にとって説明したが、これに限られず、本発明の技術思想を逸脱しない範囲内で変形が可能である。すなわち、図示しないが、例えば複数の円弧型のバネ形状に形成するとともに、傾斜面が形成されてもよい。このような変形例では、上記第３の実施形態と比べ、バスケットプレート１の熱膨張によって生じる反力を分散して吸収することができる。また、例えば図１５及び図１６で示す端部２Ｆのように、ジグザグ型のバネ形状に形成するとともに、傾斜面５Ｂが形成されてもよい。このような変形例では、上記第３の実施形態と比べ、溝部１１の底面１２との接触面積を大きくすることができ、円筒部材１０への伝熱性をさらに高めることができる。
【符号の説明】
【００４５】
１，１Ａ，１Ｂ    バスケットプレート
２，２Ａ，２Ｂ，２Ｃ，２Ｄ，２Ｅ，２Ｆ    端部
３                スリット
５，５Ａ，５Ｂ    傾斜面
１０              円筒部材
１１              溝部
１２              底面
１３              側面
【図１】
2014240755.tif 000003
【図２】
2014240755.tif 000004
【図３】
2014240755.tif 000005
【図４】
2014240755.tif 000006
【図５】
2014240755.tif 000007
【図６】
2014240755.tif 000008
【図７】
2014240755.tif 000009
【図８】
2014240755.tif 000010
【図９】
2014240755.tif 000011
【図１０】
2014240755.tif 000012
【図１１】
2014240755.tif 000013
【図１２】
2014240755.tif 000014
【図１３】
2014240755.tif 000015
【図１４】
2014240755.tif 000016
【図１５】
2014240755.tif 000017
【図１６】
2014240755.tif 000018
【図１７】
2014240755.tif 000019
【図１８】
2014240755.tif 000020